(57)【要約】【課題】比較的簡素な構成により安価で、装置内部への水分の浸入を抑制し、水分の滞留による不要な短絡を防止することができる照明装置を提供する。【解決手段】本発明の照明装置は、表面に光源１０が設けられた支持体２０と、前記支持体２０の裏面側にあって、前記支持体２０との接合部を基点として該支持体２０の裏面より離れる方向に延出する第１延出部２６と、該第１延出部２６に連続して前記支持体２０の終端よりも外側に且つ前記支持体から離間して延在する第２延出部２７と、を有する取り付け部材２５と、を備え、前記第１延出部２６の少なくとも一部は、前記支持体２０の終端よりも内側に位置していることを特徴とする。【選択図】図２
2010286167.tif 000002
【特許請求の範囲】
【請求項１】
表面に光源が設けられた支持体と、
前記支持体の裏面側にあって、前記支持体との接合部を基点として該支持体の裏面より離れる方向に延出する第１延出部と、該第１延出部に連続して前記支持体の終端よりも外側に且つ前記支持体から離間して延在する第２延出部と、を有する取り付け部材と、を備え、
前記第１延出部の少なくとも一部は、前記支持体の終端よりも内側に位置していることを特徴とする照明装置。
【請求項２】
前記第１延出部は、前記支持体の終端から離間して前記支持体の裏面に接合されていることを特徴とする請求項１に記載の照明装置。
【請求項３】
前記支持体は、その裏面側に、該支持体の終端から他の終端に至る凹部を有し、
前記第１延出部は、前記凹部内に接合されていることを特徴とする請求項２に記載の照明装置。
【請求項４】
前記支持体は、長尺な形状を有し、
前記照明装置は、前記支持体の長手方向の端部を閉蓋する、該長手方向に面する端面が傾斜面であるキャップを備え、
前記第１延出部は、前記キャップを係止する開口部を有することを特徴とする請求項１乃至３のいずれか１項に記載の照明装置。
【請求項５】
前記取り付け部材および前記キャップは、前記支持体の長手方向の両端部に、略対称に各々設けられていることを特徴とする請求項４に記載の照明装置。
【請求項６】
前記照明装置は、前記支持体の裏面側において前記支持体の終端よりも内側で転回して前記支持体の外側に引き出された、前記光源に給電する給電ケーブルを備え、
前記取り付け部材と前記キャップとにより前記給電ケーブルが挟持されていることを特徴とする請求項４又は５に記載の照明装置。
【発明の詳細な説明】
【技術分野】
【０００１】
本発明は、発光素子を光源として有する照明装置に関し、より詳細には例えば冷蔵・冷凍食品等をはじめとして、各種商品が陳列されるショーケース用の照明装置に関する。
【背景技術】
【０００２】
近年、電球や蛍光灯に代替可能な次世代照明として、消費電力が低く長寿命の発光ダイオード等の発光素子を光源として用いた照明装置が提案されている。
【０００３】
例えば特許文献１には、冷凍・冷蔵リーチインショーケースの庫内照明として、複数の発光ダイオードと、発光ダイオードが長手方向に配列される板状基板と、板状基板が内部に収納される透明の円筒体と、円筒体の両端を塞ぐ防水パッキンと、を有し、防水パッキンには配線孔が形成されており、その配線孔からは発光ダイオードと外部電源とを電気的に接続する配線が延設された照明装置が開示されている。
【０００４】
また例えば特許文献２には、屋外で使用可能な発光ダイオードを利用した照明器具として、本体と、この本体内部に固定され発光ダイオードを搭載した基板と、発光ダイオード及び基板に施される耐湿性のコーティングと、本体を内部に収め造営物に固定される取付枠と、本体を内部に収納した取付枠を覆い該取付枠に係合する光透過性のカバーと、本体及びカバーの長手方向両端部に嵌めこまれるキャップと、基板に接続し本体から外部に引き出される電源線と、を備えた照明器具が開示されている。
【先行技術文献】
【特許文献】
【０００５】
【特許文献１】特開２００２−１４７９４５号公報
【特許文献２】特開２００７−２２７２１０号公報
【特許文献３】特開２００９−０８７６４９号公報
【発明の概要】
【発明が解決しようとする課題】
【０００６】
しかしながら、上記特許文献１，２に開示された照明装置では、外部から配線孔や取付穴等を通して浸入した水分が装置内部で結露、氷結したり、あるいは水滴が配線等を伝って装置内部に流れ込んだりして、水分が基板の上面に滞留した状態となり、基板の上面に形成された回路や発光素子の電極間などにおいて短絡が発生する問題を有していた。さらに、基板の上面等に耐湿性の保護膜が形成されていたとしても、水分が滞留することによって保護膜に浸透してしまい短絡に至る虞があった。また、このような装置外部から浸入する水分による短絡等の問題は、発光素子やその実装基板の密封性を高めることにより改善することができるが、それにより照明装置の構成が複雑化しコストが高くなったり、光が有効に取り出されず照度が低下したりする虞がある。
【０００７】
そこで、本発明はかかる事情に鑑みてなされたものであり、簡易な構成により比較的安価で、装置内部への水分の浸入を抑制し、水分の滞留による不要な短絡を防止することができる照明装置を提供することを目的とする。
【課題を解決するための手段】
【０００８】
本発明は、下記（１）〜（６）の手段により上記課題を解決することができる。
（１）  表面に光源が設けられた支持体と、前記支持体の裏面側にあって、前記支持体との接合部を基点として該支持体の裏面より離れる方向に延出する第１延出部と、該第１延出部に連続して前記支持体の終端よりも外側に且つ前記支持体から離間して延在する第２延出部と、を有する取り付け部材と、を備え、前記第１延出部の少なくとも一部は、前記支持体の終端よりも内側に位置していることを特徴とする照明装置。
（２）  前記第１延出部は、前記支持体の終端から離間して前記支持体の裏面に接合されていることを特徴とする上記（１）に記載の照明装置。
（３）  前記支持体は、その裏面側に、該支持体の終端から他の終端に至る凹部を有し、前記第１延出部は、前記凹部内に接合されていることを特徴とする上記（２）に記載の照明装置。
（４）  前記支持体は、長尺な形状を有し、前記照明装置は、前記支持体の長手方向の端部を閉蓋する、該長手方向に面する端面が傾斜面であるキャップを備え、前記第１延出部は、前記キャップを係止する開口部を有することを特徴とする上記（１）〜（３）のいずれか１つに記載の照明装置。
（５）  前記取り付け部材および前記キャップは、前記支持体の長手方向の両端部に、略対称に各々設けられていることを特徴とする上記（４）に記載の照明装置。
（６）  前記照明装置は、前記支持体の裏面側において前記支持体の終端よりも内側で転回して前記支持体の外側に引き出された、前記光源に給電する給電ケーブルを備え、前記取り付け部材と前記キャップとにより前記給電ケーブルが挟持されていることを特徴とする上記（４）又は（５）に記載の照明装置。
【発明の効果】
【０００９】
本発明によれば、装置外部からの水分の浸入を抑制し不要な短絡の発生を防止した照明装置を提供することができる。
【図面の簡単な説明】
【００１０】
【図１】本発明の一実施の形態に係る照明装置の概略斜視図である。
【図２】本発明の一実施の形態に係る照明装置の取り付け部材の要部を説明する概略断面図（ａ）及び（ｂ）である。
【図３】本発明の一実施の形態に係る照明装置の端部周辺の内部を説明する概略断面図である。
【図４】本発明の一実施の形態に係る照明装置における、取り付け部材と給電ケーブルとの関係を説明する概略斜視図（ａ）、取り付け部材とキャップとの関係を説明する概略斜視図（ｂ）、取り付け部材と給電ケーブルとキャップとの関係を説明する概略裏面図（ｃ）である。
【図５】本発明の一実施の形態に係る照明装置の概略側面図である。
【図６】本発明の一実施の形態に係る照明装置の内部を説明する概略斜視図である。
【発明を実施するための形態】
【００１１】
以下、発明の実施の形態について適宜図面を参照して説明する。ただし、以下に説明する照明装置は、本発明の技術思想を具体化するためのものであって、本発明を以下のものに特定しない。特に、以下に記載されている構成部品の寸法、材質、形状、その相対的配置等は特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに、本発明を構成する各要素は、複数の要素を同一の部材で構成して一の部材で複数の要素を兼用する態様としてもよいし、逆に一の部材の機能を複数の部材で分担して実現することもできる。また、以下に記載されている実施の形態についても同様に、特に排除する記載が無い限りは各構成等を適宜組み合わせて適用できる。
【００１２】
＜実施の形態１＞
図１は本発明の実施の形態１に係る照明装置の概略斜視図であって、図２はその取り付け部材の要部を説明する概略断面図である。また図３は本発明の実施の形態１に係る照明装置の端部周辺の内部を説明する概略断面図であり、図４は取り付け部材、キャップ及び給電ケーブルの関係を説明する概略斜視図や概略裏面図である。図５は本発明の実施の形態１に係る照明装置の概略側面図である。さらに図６は本発明の実施の形態１に係る照明装置の内部を説明する概略斜視図である。
【００１３】
図１，２に示すように実施の形態１に係る照明装置１００は、主として、表面に複数の光源１０が長手方向ｘに沿って配列されて設けられた長尺な支持体２０と、この支持体２０の裏面側に、略Ｌ字形状に屈曲し支持体２０に接合されて設けられた取り付け部材２５と、を備えている。また支持体２０にはカバー３０及びキャップ５０が被装され、該照明装置の本体を構成している。なお以下、本実施の形態の照明装置は、主として、その長手方向ｘが縦向き（略鉛直方向）になるように設置、又は傾斜面に設置されて使用されるものとして記述する。
【００１４】
この照明装置１００において、取り付け部材２５は、支持体２０との接合部を基点として該支持体２０の裏面より離れる方向に延出する第１延出部２６と、該第１延出部２６に連続して支持体２０の終端よりも外側に且つ支持体２０から離間して延在する第２延出部２７と、を有し、第１延出部２６の少なくとも一部は、支持体２０の終端よりも内側に位置している。このように、第１延出部２６の少なくとも一部が支持体２０の終端よりも内側に位置していることにより、外部取り付け面から取り付け部材２５を伝って進行する水分を支持体２０の裏面側に導いて、該水分が支持体２０の表面側へ浸入することを抑制し、光源１０の不要な短絡の発生を防止することができる。また第２延出部は、支持体２０の終端よりも外側に延在しており、その先端部に取付穴を設ける、或いは先端部を鉤形状にする等して、当該照明装置を外部取り付け面に容易に固定することができる。なお取り付け部材２５は、本実施の形態においては、支持体２０の長手方向ｘの両端部近傍に各々（合計２つ）設けられているが、一方（上方）の端部近傍にのみ１つ設けられている形態であってもよい。
【００１５】
第１延出部２６は、図２（ａ）に示すように、支持体２０の終端から離間して支持体２０の裏面に接合されていることが好ましい。言い換えれば、取り付け部材２５と支持体２０との接合部は、支持体２０の終端から離間されていることが好ましい。これにより、支持体２０の終端と接合部との間の離間領域における支持体２０の裏面を、支持体２０の表面側への水分の浸入を抑制する障壁として機能させることができる。このような形態では、取り付け部材２５を支持体２０と別部材で構成することができ、支持体２０との接合位置の選択・調整が可能であり、またネジ留め等の着脱可能な接合手段であれば取り付け部材２５を取り外すこともでき、利便性が良い。取り付け部材２５は、溶接により支持体２０に接合してもよい。
【００１６】
なお第１延出部２６は、いずれかの方向に傾斜していてもよく、水分が重力に従って流れるのを促進することができる。また屈曲、或いは湾曲していてもよい。例えば第１の延出部２６が、支持体２０との接合部から内側に向かって傾斜していれば、この傾斜面を水分の浸入を抑制する障壁とし、支持体２０の裏面から水分を遠ざけることができる。逆に、支持体２０との接合部から外側に向かって傾斜していれば、第１延出部２６の周縁や開口部２８からの漏出により、或いは支持体２０の裏面を伝わせて、水分の排出を促進することができる。
【００１７】
また第１延出部２６の別の形態として、図２（ｂ）に示すように、支持体２０の終端に連続して設けられ、該支持体の終端よりも内側に屈曲した屈曲部を有して設けられてもよい。これにより、この屈曲部の支持体２０の終端に連続する傾斜面を、支持体２０の表面側への水分の浸入を抑制する障壁として機能させることができる。このような形態では、支持体２０と取り付け部材２５とを一体として、例えば板金の端部の折り曲げ加工のみで、形成することが可能であり、安価に製造することができる。
【００１８】
また第１延出部２６は、図３に示すように、支持体２０の長手方向に貫通した開口部２８を有することが好ましい。これにより、取り付け部材２５上に進行した水分が該開口部２８を通して漏出することで水分の排出が促進され、取り付け部材２５上に水分が滞留することを抑制することができ、ひいては支持体２０および取り付け部材２５の錆びや腐食による劣化を抑制することができる。開口部２８の平面視形状は特に限定されず、矩形状、角が丸みを矩形状、円形状、楕円形状など種々の形状に形成できる。さらに、この開口部２８はキャップ５０を係止する機能も有する。開口部２８にキャップ５０の鉤部５４が挿入・係止されても、開口部２８に水分を排出可能な隙間があればよい。また開口部２８を複数設けてもよく、またキャップ５０の係止用と水分排出用の開口部を分けて設けてもよい。
【００１９】
支持体２０は、図３に示すように、平面視形状が長尺な（一方向に長い）略矩形状であり、複数の光源１０を配列して設置可能なように支持体２０の長手方向ｘに沿って設けられた第１の面２１と、第１の面２１から短手方向ｙの両側に延在して第１の面２１の高さよりも低く、かつ支持体２０の長手方向ｘに沿って設けられた第２の面２２と、から少なくとも構成されている。このような第２の面２２は、装置内部に浸入した水分を外部に排出しやすくする排水溝として機能させることができる。なお本実施の形態１では、支持体２０は、光源１０が実装される基板２０ａと、台座２０ｂと、の少なくとも２つの部材から構成されている。台座２０ｂは、平面視では略矩形状であって、短手方向ｙの断面視では中央に板状部と、その両側に、光源１０が設けられる側とは反対側に折り曲げられて略Ｌ字形状を有する第２の面２２と、を有し、さらに第２の面２２の先端は鉤形状に折り曲げられた鉤部２３を有している。基板２０ａは、台座２０ｂ中央の板状部上にその略全面を覆うように長手方向ｘに沿って設けられている。このように、本実施の形態に係る支持体の第１の面２１は、基板２０ａおよび台座２０ｂから構成されている。なお第２の面２２の鉤部２３は、支持体の第１の面２１の高さよりも低くなるように形成されているのが好ましい。これにより、後述のカバー３０の内面に結露した水分を第２の面２２に導きやすくすることができる。
【００２０】
このように、第１の面２１より低く設けられた第２の面２２によって、支持体２０の裏面側では、この第１の面２１の反対側の面すなわち台座２０ｂの板状部の裏面を底面とし、長手方向ｘに沿って延在する凹部が形成されている。このように支持体２０の裏面側に、支持体２０の第１の終端から他の第２の終端へ至る凹部２４が設けられ、取り付け部材２５の第１延出部２６が該凹部２４内に接合されていることにより、取り付け部材２５を介して支持体２０の裏面側の凹部２４内に水分を導き、その小さい領域に水分を集中させながら、支持体２０の裏面を伝わせて水分の排出を促進することができる。このような凹部２４は、排水溝としての機能をさせることができ、好ましくは１つのストライプ状の凹部（溝部）として形成することで、水分の流れを制御しやすい。
【００２１】
カバー３０は、支持体２０を構成する台座２０ｂと同様に長尺な形状を有しており、複数の光源１０を覆うために半筒形状に形成されている。なおカバー３０を短手方向ｙに切ったＡ−Ａ’（図１）断面の形状は、図３のように略四角形状（略コの字形状）を有している。カバー３０の短手方向ｙの両端部には鍔部３１が設けられており、その鍔部３１が支持体の第２の面２２の先端に形成された鉤部２３に係止されて固定される。これにより、支持体２０とカバー３０とによって長手方向ｘに開口した筒状体を構成し、この筒状体の端部の開口を閉蓋するように、支持体２０およびカバー３０の長手方向ｘの端部にキャップ５０が設けられている。
【００２２】
キャップ５０は、図４（ｂ）に示すように、支持体２０及びカバー３０の端部を外側から覆うと共に、キャップ５０の内側に形成された溝部５１に対して、カバー３０の端部が嵌合される構造を有している。またキャップ５０の内側には、鉤部５４が内面５３から突出して設けられており、この鉤部５４が取り付け部材２５の開口部２８に挿入、係止されて、当該キャップ５０が支持体２０及びカバー３０に固定される。このため、ネジ等の部品を用いることなく容易に組み立てが可能であり、且つ十分な強度を有する構造とすることができる。また第１延伸部２６が支持体２０の終端よりも内側に位置する形態では、キャップ５０を第１延出部２６で係止する場合に、キャップ５０を支持体２０の端部に深く被せてキャップ５０内面と支持体２０の終端との隙間を小さくすることができ、ひいてはキャップ５０の内面を支持体２０の終端に当接させることができ、支持体２０表面側への水分の浸入をさらに抑制することができる。
【００２３】
また図５に示すように、キャップ５０の長手方向ｘに面する端面５５（蓋面）は、傾斜面となっていることが好ましい。またその端面５５の内側の面も同様に傾斜面となっていることが好ましい。これにより、キャップ５０の端面５５及びその内面に水分が滞留することを防止することができる。特に、支持体２０及びカバー３０の端部を覆った際、支持体２０の裏面側に向かって末広がりの傾斜面であることが好ましい。これにより、キャップ５０上面に進行した水分を、装置外部に排出しやすくすることができる。この傾斜面の傾斜角度は、５°以上とすれば水分の滞留を防止することができ、好ましい。上限値は特に限定されないが、例えば４５°以下とする。また端面５５を曲面、例えば略半球面などにしてもよい。
【００２４】
さらに図４（ｂ），（ｃ）に示すように、キャップ５０は、支持体の第１の面２１の高さよりも低い位置に排水口６０を有することが好ましく、特にキャップ５０の支持体２０の裏面側に面する端面の長手方向ｘの端部に設けられることが好ましい。これにより、図５に示すように装置内部に侵入した水分が、キャップ５０の内面の傾斜面により排水口６０に導かれて外部に排出されやすい。したがって、取り付け部材２５およびキャップ５０は、支持体２０の長手方向の両端部に、略対称に各々設けられることが好ましく、特に当該照明装置を長手方向ｘが縦向きになるように設置した際、長手方向ｘの該装置中央に対して略上下鏡面対称となることが好ましい。
【００２５】
また外部電源から光源１０に給電するための給電ケーブル９０が、支持体２０の表面側の基板２０ａ上にあるコネクタ８０に接続され、支持体２０の長手方向ｘの一方の端部から装置外部に引き出されている。この給電ケーブル９０は、図４（ａ）に示すように、コネクタ８０から支持体２０の裏面側に引き回され、該裏面側において支持体２０の終端よりも内側で転回して支持体２０の外側に引き出されていることが好ましい。また図４（ｃ）に示すように、キャップ５０が支持体２０及びカバー３０の端部に嵌入されると、取り付け部材２５とキャップ５０とにより給電ケーブル９０が挟持される構造になっている。特に給電ケーブル９０が、第１延出部２６に掛かるように、該第１延出部の内側を経由且つ転回して引き出され挟持されていれば、給電ケーブル９０を強固に保持するとともに小形に収納できるので好ましい。このように、給電ケーブル９０が引き回され且つ挟持されることによって、当該照明装置の向きに依らず、該給電ケーブル９０を伝う水分が重力に従って装置外部を流れ落ち、装置内部に浸入することを抑制できる。給電ケーブル９０は、特に限定されるものではなく、当該分野で使用されているもののいずれをも使用することができる。また給電ケーブルが複数のケーブル線からなる場合、それらをゴム製のチューブ９１で束ねてもよい。その際、チューブ９１の開口端が装置外部、好ましくは支持体２０裏面側に露出されていれば、水分がチューブ９１内を伝って装置内部に浸入することを防止することができるので好ましい。熱収縮チューブを用いて、給電ケーブル９０とチューブ９１の隙間を減らしても良い。
【００２６】
なお本実施の形態の照明装置には、図２，６に示すように、支持体２０の第１の面２１上に、該第１の面２１の短手方向ｙの端部で開口して光源１０を覆う光反射体７０が設けられている。これにより、光源１０及び光反射体７０周辺に結露した水分を支持体の第２の面２２まで導き易くすることができる。この光反射体７０は、支持体の第２の面２２に効率良く排水を行なうために、光源１０を覆う部分（以下、半ドーム部７３と呼称する）が、少なくとも背面部７１と側面部７２とから構成された略半ドーム形状を有している。背面部７１は、支持体の第１の面２１から該第１の面２１の短手方向ｙの端部まで湾曲するように延在して光源１０の上方を覆っている。側面部７２は、背面部７１を挟むように両側から、支持体の第１の面２１の端部まで湾曲するように延在して光源１０の側方を覆っている。さらに、隣接する半ドーム部７３の間に、支持体の第１の面２１の短手方向ｙの端部に沿って設けられる壁面部７４を有している。このとき壁面部７４は、支持体の第１の面２１に対して略垂直方向に、半ドーム部７３（特に、その開口部）の高さよりも高くなるように延在して設けられている。これにより、各光源１０が隔離された状態となり、隣接した光源１０周辺への水分の浸入を抑制することができる。なお壁面部７４の上面には、２つの切り欠きに挟まれた、押さえ用の凸部を有するばね部７５が設けられており、このばね部７５がカバー３０により押圧されて該光反射体７０が支持体２０上に固定される。また半ドーム部７３の両側（切り欠きの下）に支柱部７６が各々設けられることで、該光反射体７０の短手方向ｙの外側への倒れを抑制することができる。
【００２７】
本実施の形態１では、このような光反射体７０を支持体２０上に複数有しており、１つの光反射体７０が複数の光源１０を個別に覆うように設けられている。また１つの光反射体７０は、同一方向に開口する半ドーム部７３を複数有しており、各半ドーム部７３の内側に光源１０がそれぞれ設けられている。また光反射体７０は、支持体２０の長手方向に沿って背中合わせに、且つ各光反射体の半ドーム部７３が互い違いに重なるように、２列に配列されて設けられている。これにより、支持体の第１の面２１の中央付近を長手方向ｘに流れる水分を第２の面２２側に導くことができると共に、照明装置を小型化することができる。
【００２８】
以下、本発明の照明装置の各構成について詳述する。
【００２９】
（支持体）
支持体は、排水構造を有する照明装置の土台であって、各部材を直接又は間接的に接続するための部材である。支持体は、単一の平坦な板状体であってもよいが、長手方向に沿って光源が配列される第１の面と、第１の面が突出するように段差を有する第２の面と、から少なくとも構成されていることが好ましい。支持体の第１の面と第２の面の段差は、第２の面に流れ込んだ水分が再び第１の面に流れ込まないように、また支持体の裏面側において該段差による凹部を排水溝として機能させるために、２ｍｍ以上１０ｍｍ以下とするのが好ましく、さらに好ましくは４ｍｍ以上８ｍｍ以下とする。このような支持体の第２の面の形状は、第１の面を流れる水分を排水する、また裏面側の凹部側面を水分を閉じ込める障壁とすることができれば良く、実施の形態１のような略Ｌ字形状に限定されず、略Ｖ字形状や略Ｕ字形状等に形成しても良い。また支持体は、実施の形態１（特に、図３）のように基板２０ａと台座２０ｂとの２つの部材から構成することができ、特に、支持体の第１の面２１は、光源１０が設けられる側全体に基板２０ａを有していても良いが、部分的に基板２０ａを有することで台座２０ｂが露出されていても良い。さらに、支持体は、１つの部材から構成することもでき、例えばセラミックスやガラスエポキシ等からなる回路基板に直接溝部を形成することによって、第１の面及び第２の面を構成してもよい。
【００３０】
（取り付け部材）
取り付け部材は、照明装置を外部に固定するための部材であり、上述のように、例えば支持体の長手方向の端部近傍に、溶接やネジ等の部品により固定しても良いし、台座２０ｂと一体に設けられてもよく、例えば台座２０ｂの長手方向ｘの端部を略Ｌ字形状に折り曲げて構成しても良い。取り付け部材は、例えば下記台座や基板と同様の材料で構成することができる。さらに、照明装置を外部に取り付ける際には、少なくとも支持体の裏面が、照明装置を取り付ける面（取り付け面）から離間しているのが好ましい。これにより、水分が照明装置の取り付け面から照明装置の内部に流れ込み、基板の上面に滞留してしまうのを防止することができる。また、取り付け面の裏側に設けられた外部電源やガラス扉の結露防止用ヒーターからの熱の影響を抑制することもできる。さらには、支持体の取り付け部材以外が照明装置の取り付け面から離間しているのが好ましく、ネジや配線などの障害物の多い取り付け面に対しても、容易に取り付けが可能となり利便性に優れる。なお取り付け部材は、支持体の形状に応じて、１つでもよいし複数設けられてもよい。
【００３１】
（台座）
台座は、後述する基板と共に支持体を構成するための部材である。台座は、放熱性を考慮して、熱伝導性に優れた材料、例えば、アルミニウム合金やステンレス鋼、鉄、銅等の金属材料を板金加工したものや、アルミニウム合金を押し出し加工したものに塗装及びアルマイト処理が施されたもの等が好ましい。例えば、実施の形態１に係る台座２０ｂでは、長尺な金属板が用いられており、基板２０ａが配置される中央の板状部が突出するように、金属板の短手方向の端部を略Ｌ字形状に折り曲げることによって第２の面２２を形成している。
【００３２】
（基板）
基板は、発光素子を有する光源やコネクタ等の電子部品が配置され、さらに、それらの電子部品と電気的に接続される回路パターンが形成された回路基板である。基板としては、機械的強度および熱伝導性が高く、熱変形の少ない材料を用いるのが好ましい。具体的には、セラミックス、ガラス、ガラスエポキシ、アルミニウム合金等を用いたプリント配線基板が好適に利用される。また実施の形態１に係る基板では、矩形形状を有しているが、これに限定されず、例えば正方形状の基板を台座の長手方向に複数枚並べて配置しても良い。基板の上面には、複数の光源が台座の長手方向に沿って所定の間隔で配列される。このとき光源は、ＡｇやＡｕ、Ｓｎ等の接合部材によってハンダ付けされて基板の回路パターンと電気的に接続されている。光源の配列としては、２列で互い違いになるように設けられても良いが、照明装置の用途に応じて１列または３列以上設けても良い。さらに、基板は、例えば実施の形態１（特に図６）のように、外部電源（不図示）と電気的な接続を可能にする配線（不図示）及びコネクタ８０を有しており、光源１０と同様にしてコネクタ８０が回路パターンと電気的に接続されている。このとき、コネクタは、台座の長手方向側に設けられているのが好ましく、長手方向に並べられた複数の基板を直列的に接続し易くすることができる。さらに、照明装置を複数設ける際にも、各照明装置を直列的に接続し易くすることができる。また基板の上面には、照明装置内部に浸入した水分に対する保護処理がされているのが好ましい。例えば、シリコーンやフッ素系、アクリル系の防水コートが挙げられる。さらに、基板の下面には、放熱性に優れるグリスや両面テープを設けて台座との隙間(空気層)を埋めるのが好ましく、熱伝導性が好ましくない基板を用いる際には、銅やアルミニウム合金等から構成される金属基板を接合しても良い。
【００３３】
（光源）
光源は、発光素子を有しており、光を発光することが可能な素子であれば特に限定されるものではない。例えば、発光ダイオード（ＬＥＤ：Light Emitting Diode）や半導体レーザ素子（ＬＤ：LASER Diode）等の当該分野で使用されているもののいずれをも使用することができる。特に、ＲＧＢの各波長域の光に対応した複数の発光素子を、あるいはそのような発光が可能な波長変換部材を組み合わせて用いることにより、単色の発光素子を用いる場合よりも、演色性を向上させることができるため好ましい。このような光源として、発光素子自体を直接基板に実装して用いても良いほか、パッケージや被覆部材等により覆われた発光装置を用いても良い。例えば、発光装置としては、セラミックや樹脂などで形成されたパッケージに発光素子が配置された表面実装型（ＳＭＤ）や、リードフレームに配置された発光素子をガラスや樹脂などの被覆部材でモールドして形成された砲弾型（ランプタイプ）等が挙げられる。さらに、パッケージや被覆部材には、それぞれ波長変換部材（例えば、アルミニウム酸化物系蛍光体や窒化物系蛍光体、シリケート系蛍光体等）や光拡散部材（例えば、アルミナやシリカ、酸化チタン等）を含有させることもできる。
【００３４】
（光反射体）
光反射体は、光源からの光を照明装置の短手方向に反射するように、光源を覆う部材である。光反射体は、支持体の第１の面の短手方向の端部で開口するように設けられているのが好ましく、照明装置の用途に合わせて、互い違いに開口するように配置したり、片側方向のみに開口するように配置したりすることもできる。このような光反射体は、ＡＢＳ、ポリカーボネート、アクリル等の樹脂成型品に光反射性の高いＡｌやＡｇ等の金属膜を蒸着、鍍金したもの、若しくはＡｌ板材等をプレス加工したものにより、形成することができる。さらに、光反射面には拡散効果のあるブラスト加工を施すこともできる。なお、光反射体は必須の構成要素ではなく省略することができる。例えばカバー３０にＡ−Ａ’断面形状が略半円の円弧状のものを使用し、その中心に光源１０を配置して、光源１０からの出射光をカバー３０からそのまま外部に透過させる形態としてもよい。
【００３５】
（カバー）
カバーは、光源からの光を外部に出射する光出射面が透光性を有する材料で構成されていれば特に限定されず、当該分野で公知の材料によって形成することができる。例えば、軽量で、強度の強いプラスチック、特に加工性および耐熱性を考慮すると、ポリカーボネートやアクリルなどの樹脂材料にて構成されることが好ましい。ここで、透光性を有する材料は、光源からの光を１００％透過することが好ましいが、混色、色ムラ等を考慮して、半透明および不透明（例えば、光透過性が７０％程度以上、乳白色のもの等）のものも含むものとする。またカバーは、光拡散効果を有するものでもよい。光拡散効果を有するカバーを用いることにより、輝度・色ムラが照射ムラに影響する光源を使用した場合にも、これらの照射ムラを抑制することが可能な照明装置を得ることができる。ここで、光拡散効果を有するカバーとは、光源からの光を拡散し得る部材を意味し、カバー自体に光拡散処理が施されたものでもよいし、カバーに光拡散効果を有する他の部材を組み合わせたものでもよい。例えば、カバーの外側や内側に拡散シート（例えば、半透明および乳白色樹脂製の薄いシート）を貼り付けてもよいし、サンドブラスト、研磨等の粗面化処理を施してもよい。さらに、カバーを形成する材料自体に拡散部材を混入してもよい。これにより、光源からの光を均一な１つの面状光源とすることができる。
【００３６】
（キャップ）
キャップは、カバー及び支持体の長手方向の端部を外側から覆うと共に保持するための部材である。具体的には実施の形態１（特に図４（ｂ））のように、キャップ５０の内側に、カバー３０及び支持体２０の長手方向ｘに突出された突起部５２が複数設けられており、この突起部５２とキャップの内面５３とにより溝部５１を構成している。この溝部５１に対して、カバー３０及び支持体２０の長手方向ｘの端部が挿入されて保持される。このようなキャップの材料としては、特に限定されず、ABS、ポリカーボネート、ポリプロピレン(PP)、ポリアセタール(POM)等の樹脂が好適に利用される。
【００３７】
以上、説明したように、実施の形態１に係る照明装置は、装置外部からの水分の浸入を抑制し不要な短絡の発生を防止することができる。
【００３８】
なお以上、主として長尺な板状の支持体２０を備えた照明装置について記述したが、本発明の照明装置は、これに限らず、例えば略正方形や略円形の平面視形状を有する支持体、或いは多角柱などの立体形状を有する支持体を備えた照明装置にも適用することが可能である。
【実施例】
【００３９】
＜実施例１＞
以下、本発明に係る実施例について詳述する。なお、本発明は以下に示す実施例のみに限定されないことは言うまでもない。
【００４０】
実施例１の照明装置は、基板２０ａおよび台座２０ｂから構成される支持体２０を有している。台座２０ｂは、厚さ約１ｍｍの亜鉛メッキ鋼（SECC）の板金で、平面視では長尺な略矩形状（長手方向の長さ約１．３ｍ）であって、短手方向の断面視では略平面の板状部（短手方向の幅２３〜２４ｍｍ）と、その両側に略Ｌ字形状に折り曲げられて延在する第２の面２２（第１の面２１との段差６〜７ｍｍ）と、を有し、さらに第２の面２２の先端は、鉤形状に折り曲げられた鉤部２３を有している。台座２０ｂの板状部上には、その長手方向に沿って長尺な（台座２０とほぼ同じ長さの）ガラスエポキシ基板２０ａが両面テープにより接着されており、その表面が支持体２０の第１の面２１を成している。該支持体２０の短手方向の全幅は約４０ｍｍである。
【００４１】
このような支持体２０の裏面側の長手方向の両端部には、当該照明装置を外部に固定するための取り付け部材２５が各々設けられている。取り付け部材２５は、台座２０ｂと同様の亜鉛メッキ鋼の板金で、略Ｌ字形状に折り曲げられてなり、その一方の端部が溶接によって台座２０ｂの板状部の裏面に、台座２０ｂの終端から約７ｍｍ程度離間して接合されている。また取り付け部材２５の他方の端部は、台座２０ｂの終端よりも外側に約２６ｍｍ程度延出されており、該延出部にはネジ等により外部取り付け面に固定可能なように取付穴が開けられている。また取り付け部材２５の台座２０ｂとの接合部近傍には、略矩形状の開口部２８が設けられている。
【００４２】
支持体の第１の面２１つまり基板２０ａの表面に形成された回路パターン上には、複数の光源１０が長手方向に配列されて実装されている。なお光源１０は、窒化物半導体の発光ダイオード素子がＹＡＧ蛍光体を含有する樹脂により被覆された、白色発光可能な表面実装型の発光装置である。また基板２０ａの長手方向の一端には、回路に接続されたコネクタ８０が設けられており、光源１０に給電する給電ケーブル９０が該コネクタ８０に接続されている。また支持体２０の第１の面２１上には、光源１０を覆うように複数の光反射体７０が設けられている。光反射体７０は、支持体の短手方向の端部で開口した反射鏡を構成する複数の半ドーム部７３とその連結部である壁面部７４を有しており、各半ドーム部７３の内側に光源１０が各々配置されている。また光反射体７０の半ドーム部７３の両側に支柱部７６が各々設けられて、支持体２０の短手方向への倒れを抑制している。このような光反射体７０は、白色のポリカーボネート樹脂の成型体であって、各半ドーム部７３の内面にはアルミニウム合金の膜が蒸着されている。なお光反射体７０は、支持体の長手方向に沿って背中合わせに、且つ各光反射体の半ドーム部７３が互い違いに重なるように、２列に配列されており、基板２０ａの穴およびその穴に露出された両面テープにより仮留めされている。
【００４３】
台座２０ｂの鉤部２３には、断面視形状が略コの字状の長尺な（台座２０と略同じ長さの）半筒状体である透光性のポリカーボネート樹脂のカバー３０が、その両端部に設けられた鍔部３１を係止されて固定されており、台座２０ｂとカバー３０によって長手方向に開口した筒状体を構成している。また同時に、このカバー３０の上面によって光反射体７０のばね部７５が支持体２０側に押圧されて固定される。そして、この台座２０ｂとカバー３０による筒状体は、その両端部にキャップ５０が各々嵌め込まれて閉蓋されている。キャップ５０は、黒色のポリカーボネート樹脂の成型体で、支持体２０の長手方向に面する端面（キャップの上面）５５は、台座２０ｂの裏面側に向かって末広がりの約６°の傾斜面となっており、台座２０ｂの裏面側に面する端面の終端近傍には排水口６０が設けられている。またキャップ５０の内側には鉤部５４が設けられており、該鉤部５４が取り付け部材２５の開口部２８に係止され、キャップ５０が支持体２０に固定されている。なお給電ケーブル９０は、基板２０ａのコネクタ８０から台座２０ｂの裏面側、取り付け部材２５の接合部の内側を経由、転回（Ｕターン）して装置外部に引き出されており、またキャップ５０の嵌入によって該キャップ５０と取り付け部材２５とで挟持されている。さらに複数のケーブル線を束ねるためのゴム製のチューブ９１が、その開口端を支持体２０の裏面側に露出し、給電ケーブル９０の外部接続用コネクタから途中まで延在している。
【００４４】
以上のような構成を有する実施例１の照明装置は、実施の形態１とほぼ同様の効果を奏することができる。
【産業上の利用可能性】
【００４５】
本発明の照明装置は、冷蔵庫や冷凍庫等のショーケースの照明の他にも、一般照明や内照式看板、外照式看板等の種々の照明装置に利用することができる。
【符号の説明】
【００４６】
１０…光源、
２０…支持体、２０ａ…基板、２０ｂ…台座、２１…支持体の第１の面、２２…支持体の第２の面、２３…支持体の鉤部、２４…支持体の凹部、
２５…取り付け部材、２６…第１延出部、２７…第２延出部、２８…取り付け部材の開口部、
３０…カバー、３１…カバーの鍔部
５０…キャップ、５１…キャップの溝部、５２…キャップの突起部、５３…キャップの内面、５４…キャップの鉤部、５５…キャップの端面（長手方向ｘに面する）、６０…排水口、
７０…光反射体、７１…光反射体の背面部、７２…光反射体の側面部、７３…光反射体の半ドーム部、７４…光反射体の壁面部、７５…光反射体のばね部、７６…光反射体の支柱部、
８０…コネクタ、
９０…給電ケーブル、９１…チューブ、
１００…照明装置
【図１】
2010286167.tif 000003
【図２】
2010286167.tif 000004
【図３】
2010286167.tif 000005
【図４】
2010286167.tif 000006
【図５】
2010286167.tif 000007
【図６】
2010286167.tif 000008